(57)【要約】【課題】栓体から弁部材と開閉蓋を分離して各部品を洗浄できる飲料容器の栓装置並びにこの栓装置を備えた飲料容器を提供すること。【解決手段】弁部材６を開閉操作する操作杆７は、弁部材６に設けられる弁側操作杆部８に、開閉蓋10の基端部を枢着する蓋側操作杆部９を着脱自在に連結した構成として、この弁側操作杆部８と蓋側操作杆部９とを分離することにより弁部材６と開閉蓋10とが栓体２から分離する構成とし、この弁部材６を栓体２に対し所定角度回転させると弁側操作杆部８と蓋側操作杆部９とが連結保持状態となり、この連結保持状態から弁部材６を栓体２に対し所定角度回転させると弁側操作杆部８と蓋側操作杆部９とが連結解除状態となる連結・解除手段12を備えた飲料容器の栓装置。【選択図】図６
2015000741.tif 000002
【特許請求の範囲】
【請求項１】
飲料容器の上部開口部に着脱自在に装着可能な栓体の上部に注出口を設け、この注出口と前記飲料容器内とを連通する液通路を前記栓体に設け、この液通路の下部開口部を開閉する弁部材を栓体の下部に設け、この弁部材に、前記栓体を貫通して栓体の上部に突出する操作杆を設け、この栓体上部に突出する操作杆の上部に、前記注出口を開閉自在に閉塞する開閉蓋の基端部を起伏開閉回動自在に枢着し、この開閉蓋で前記注出口を閉塞した際に前記操作杆を介して前記弁部材を閉弁位置に移動せしめると共に、この閉塞状態の開閉蓋を起動回動した際に前記操作杆を介して前記弁部材を開弁位置に移動せしめる開閉弁機構を備えた飲料容器の栓装置において、前記操作杆は、前記弁部材に設けられる弁側操作杆部に、前記開閉蓋の基端部を枢着する蓋側操作杆部を着脱自在に連結した構成として、この弁側操作杆部と蓋側操作杆部とを分離することにより前記弁部材と前記開閉蓋とが前記栓体から分離する構成とし、この弁側操作杆部と蓋側操作杆部を連結した状態で前記弁部材を前記栓体に対し所定角度回転させると弁側操作杆部と蓋側操作杆部とが連結保持状態となり、この連結保持状態から弁部材を前記栓体に対し所定角度回転させると弁側操作杆部と蓋側操作杆部とが連結解除状態となる連結・解除手段を備えたことを特徴とする飲料容器の栓装置。
【請求項２】
前記弁部材の下部に、この弁部材を前記栓体に対し回転操作可能な操作部を設けたことを特徴とする請求項１記載の飲料容器の栓装置。
【請求項３】
前記連結・解除手段は、前記弁側操作杆部若しくは前記蓋側操作杆部に連結孔を設け、この連結孔に着脱自在に差し込み連結可能な差込部を蓋側操作杆部若しくは弁側操作杆部に設け、この差込部に係止突起を設け、この差込部を前記連結孔に差し込み連結したまま前記弁部材を前記栓体に対し回転させた際に前記係止突起が係止する係合部を連結孔に設けて、この係合部に係止突起が係止することで差込部と連結孔とが前記連結保持状態となり、この連結保持状態から弁部材を栓体に対し回転させると係合部から係止突起が係脱して前記連結解除状態となるように構成したことを特徴とする請求項１，２のいずれか１項に記載の飲料容器の栓装置。
【請求項４】
飲料容器の上部開口部に、前記請求項１〜３のいずれか１項に記載の飲料容器の栓装置を着脱自在に装着して成ることを特徴とする飲料容器。
【発明の詳細な説明】
【技術分野】
【０００１】
本発明は、飲料容器の栓装置並びにこの栓装置が装着された飲料容器に関するものである。
【背景技術】
【０００２】
従来から、栓体に下部開口から上部注出口に至る液通路が設けられると共に、この液通路の下部開口に開閉弁が設けられて、この開閉弁で液通路が開閉される飲料容器の栓装置が実施されている。
【０００３】
また、この開閉弁による液通路の開閉が、注出口を開閉するレバー操作に連動して、注出口を開放するようにレバー操作すると液通路が開弁し、注出口を閉塞するようにレバー操作すると液通路が閉弁する構成の栓装置も従来から実施されている（例えば、特許文献１参照）。
【先行技術文献】
【特許文献】
【０００４】
【特許文献１】実公平２−２０９７９号公報
【発明の概要】
【発明が解決しようとする課題】
【０００５】
このような液通路の下部開口が開閉弁で開閉される構成の栓装置は、栓体から開閉弁を分離させることができない。そのため、開閉弁の内側や栓体の奥の方を洗浄することができず、この洗浄できない部分に徐々に汚れが付着して不衛生になるのではないかとの懸念があった。
【０００６】
本発明は、このような開閉弁付の栓装置の問題点に注目し、これを解決しようとするもので、栓体に対し弁部材も開閉蓋も分離できて各部品を奥の方まで洗浄し清潔に保つことができる飲料容器の栓装置並びにこの栓装置を備えた飲料容器を提供するものである。
【課題を解決するための手段】
【０００７】
添付図面を参照して本発明の要旨を説明する。
【０００８】
飲料容器１の上部開口部に着脱自在に装着可能な栓体２の上部に注出口３を設け、この注出口３と前記飲料容器１内とを連通する液通路４を前記栓体２に設け、この液通路４の下部開口部５を開閉する弁部材６を栓体２の下部に設け、この弁部材６に、前記栓体２を貫通して栓体２の上部に突出する操作杆７を設け、この栓体２上部に突出する操作杆７の上部に、前記注出口３を開閉自在に閉塞する開閉蓋10の基端部を起伏開閉回動自在に枢着し、この開閉蓋10で前記注出口３を閉塞した際に前記操作杆７を介して前記弁部材６を閉弁位置に移動せしめると共に、この閉塞状態の開閉蓋10を起動回動した際に前記操作杆７を介して前記弁部材６を開弁位置に移動せしめる開閉弁機構11を備えた飲料容器の栓装置Ｓにおいて、前記操作杆７は、前記弁部材６に設けられる弁側操作杆部８に、前記開閉蓋10の基端部を枢着する蓋側操作杆部９を着脱自在に連結した構成として、この弁側操作杆部８と蓋側操作杆部９とを分離することにより前記弁部材６と前記開閉蓋10とが前記栓体２から分離する構成とし、この弁側操作杆部８と蓋側操作杆部９を連結した状態で前記弁部材６を前記栓体２に対し所定角度回転させると弁側操作杆部８と蓋側操作杆部９とが連結保持状態となり、この連結保持状態から弁部材６を前記栓体２に対し所定角度回転させると弁側操作杆部８と蓋側操作杆部９とが連結解除状態となる連結・解除手段12を備えたことを特徴とする飲料容器の栓装置に係るものである。
【０００９】
また、前記弁部材６の下部に、この弁部材６を前記栓体２に対し回転操作可能な操作部13を設けたことを特徴とする請求項１記載の飲料容器の栓装置に係るものである。
【００１０】
また、前記連結・解除手段12は、前記弁側操作杆部８若しくは前記蓋側操作杆部９に連結孔15を設け、この連結孔15に着脱自在に差し込み連結可能な差込部14を蓋側操作杆部９若しくは弁側操作杆部８に設け、この差込部14に係止突起16を設け、この差込部14を前記連結孔15に差し込み連結したまま前記弁部材６を前記栓体２に対し回転させた際に前記係止突起16が係止する係合部17を連結孔15に設けて、この係合部17に係止突起16が係止することで差込部14と連結孔15とが前記連結保持状態となり、この連結保持状態から弁部材６を栓体２に対し回転させると係合部17から係止突起16が係脱して前記連結解除状態となるように構成したことを特徴とする請求項１，２のいずれか１項に記載の飲料容器の栓装置に係るものである。
【００１１】
また、飲料容器１の上部開口部に、前記請求項１〜３のいずれか１項に記載の飲料容器の栓装置Ｓを着脱自在に装着して成ることを特徴とする飲料容器に係るものである。
【発明の効果】
【００１２】
本発明は上述のように構成したから、栓体から弁部材と開閉蓋を分離させることができ、この分離した栓体と弁部材と開閉蓋とを奥の方まで洗浄して各部品を清潔に保つことができ、その上、栓体に対する弁部材と開閉蓋の着脱操作も、弁部材を栓体に対し所定角度回転させるだけの簡易操作で可能であるなど、極めて実用性に優れた飲料容器の栓装置並びにこの栓装置を具備する極めて実用性に優れた飲料用容器となる。
【００１３】
また、請求項２記載の発明においては、操作部を例えば手で操作して弁部材を簡易に回転操作できる一層操作性・実用性に優れた構成の飲料容器の栓装置となる。
【００１４】
また、請求項３記載の発明においては、前記作用・効果を確実に発揮する連結・解除手段を簡易構成にして容易に設計実現可能となる一層実用性に優れた構成の飲料容器の栓装置となる。
【図面の簡単な説明】
【００１５】
【図１】本実施例を示す斜視図である。
【図２】本実施例の栓装置の閉弁状態を示す部分拡大側断面図である。
【図３】本実施例の栓装置の開弁状態を示す部分拡大側断面図である。
【図４】本実施例の栓装置を開弁状態とし、弁部材を上方へ押圧して係止突起を係合部から係脱した状態を示す部分拡大側断面図である。
【図５】図４に続いて、弁部材を回転させて係止突起を突起用溝部に位置させた連結解除状態を示す部分拡大側断面図である。
【図６】図５に続いて、弁部材を栓体から分離させた状態を示す部分拡大側断面図である。
【図７】図６に続いて、開閉蓋を栓体から分離させた状態を示す部分拡大側断面図である。
【図８】本実施例の栓体に対する蓋側操作杆部の分離構造（貫通孔と係止突起の関係）を示す部分拡大平断面図である。
【発明を実施するための形態】
【００１６】
好適と考える本発明の実施形態を、図面に基づいて本発明の作用を示して簡単に説明する。
【００１７】
飲料容器１の上部開口部に、本発明の栓装置Ｓを装着する。
【００１８】
開閉蓋10が注出口３を閉塞した状態では、開閉弁機構11を介して操作杆７が弁部材６を閉弁位置に移動させるので（弁部材６が液通路４の下部開口部５を閉塞しているので）、飲料容器１を傾けても飲料容器１内の飲料が漏出しない。
【００１９】
閉塞状態の開閉蓋10を起動回動すると、注出口３が開放すると共に、開閉弁機構11を介して操作杆７が弁部材６を開弁位置に移動させるので（弁部材６が液通路４の下部開口部５を開放するので）、飲料容器１を傾けることによって飲料が液通路４から注出口３を通って注出することになり、従って、注出口３から飲料容器１内の飲料をグラスなどに注いだり、この注出口３に口を付けて飲料を飲んだりすることができる。
【００２０】
また、本発明の栓装置Ｓは、飲料容器１の上部開口部から取り外して洗浄できるが、更に栓体２から弁部材６と開閉蓋10を分離させて各々を洗浄できる。
【００２１】
具体的には、弁部材６を前記栓体２に対し所定角度回転させると、連結・解除手段12を介して操作杆７の弁側操作杆部８と蓋側操作杆部９とが連結解除状態となるので、この弁側操作杆部８が設けられる弁部材６と、蓋側操作杆部９に枢着した開閉蓋10とを前記栓体２から分離することができる。
【００２２】
従って、弁部材６と開閉蓋10とが取り付けられた状態では洗浄が難しい栓体２や弁部材６や開閉蓋10の奥の方まで洗浄することが可能となり、これらの部品を清潔に保つことができる。
【００２３】
分離した弁部材６と開閉蓋10とを栓体２に取り付ける場合は、弁部材６に設けられる弁側操作杆部８と、開閉蓋10の基端部を枢着した蓋側操作杆部９とを栓体２に貫通させて連結すると共に、この弁側操作杆部８と蓋側操作杆部９を連結した状態で弁部材６を栓体２に対し所定角度回転させると、前記連結・解除手段12を介して弁側操作杆部８と蓋側操作杆部９とが連結保持状態となる（弁側操作杆部８が設けられる弁部材６と、蓋側操作杆部９に枢着した開閉蓋10とが、栓体２に取り付けられる。）。
【００２４】
従って、弁部材６と開閉蓋10の栓体２に対する着脱操作（弁側操作杆部８と蓋側操作杆部９との連結保持・連結解除操作）は、弁部材６を栓体２に対し所定角度回転させるだけの簡易な操作で行われる。
【００２５】
また、例えば、前記弁部材６の下部に、この弁部材６を前記栓体２に対し回転操作可能な操作部13を設ければ、この操作部13を例えば手で操作して弁部材６を簡易に回転させることができる。
【実施例】
【００２６】
本発明の具体的な実施例について図面に基づいて説明する。
【００２７】
本実施例は、図１に示すような携帯型の水筒に適用したもので、飲料容器１の上部開口部に、栓装置Ｓを着脱自在に設けている。
【００２８】
具体的には、飲料容器１は、金属製であって上部開口型の円筒状容器を採用し、この飲料容器１の上部開口部に、合成樹脂製であって短円筒状の前記栓装置Ｓを着脱自在に装着している。
【００２９】
また、この飲料容器１と栓装置Ｓの着脱構造は、飲料容器１の上部開口部付近の内周面に図示省略の雌螺子部を形成する一方、栓装置Ｓ下部の外周面に雄螺子部18を一体成形して、この雄螺子部18を前記雌螺子部に螺着することで飲料容器１の上部開口部に栓装置Ｓを取り付けする構造とし、栓装置Ｓの螺脱操作によって飲料容器１の上部開口部から栓装置Ｓを取り外しできる構造としている。
【００３０】
以下、本実施例の栓装置Ｓについて更に具体的に説明する。
【００３１】
栓体２の上部に注出口３を設け、この注出口３を開閉する開閉蓋10を栓体２の上部に設け、この注出口３と前記飲料容器１内とを連通する液通路４を栓体２内に設け、この液通路４の下部開口部５を開閉する弁部材６を栓体２の下部に設けている。
【００３２】
本実施例の栓体２は、有天の短円筒状体であって筒内空間部を前記液通路４とし、この液通路４がその下部開口部５（栓体２の下部開口部５）を介して前記飲料容器１内と連通する構成としている。
【００３３】
また、この栓体２は、図２〜図６に示すように、天板部20の周縁部全周に上方へ突出する周壁部19を一体成形すると共に、この周壁部19は、栓体２の一方側が高く他方側が低くなる傾斜周壁部19に形成している。そして、一方側（高い方）の周壁部19の内側面の所定範囲を外方に凹む形状に成形することで他の部位より薄厚形状に成形すると共に、この薄厚部分の上縁を他の上縁より一段低く凹む形状に成形し、この凹み形状部分を飲み口部21としてこの飲み口部21に直接口を付けて飲料容器１内の飲料を飲むことができるように構成している。
【００３４】
また、この飲み口部21に連設する天板部20上面の一方側を、飲み口部21と同調する凹み形状に成形してこの部位を他の上面より一段低くなる液溜部22とすると共に、この液溜部22の中央部に、この液溜部22（天板部20の外部）と栓体２内の前記液通路４とを連通する前記注出口３を貫通形成している。
【００３５】
即ち、注出口３から注出された飲料は、凹状の液溜部22から飲み口部21を通って飲み口部21に付けた口へと流入案内される構成としている。
【００３６】
また、この栓体２は、図２〜図７に示すように、天板部20の中心部に小径な貫通孔23を設けると共に、この貫通孔23と連通するようにして天板部20の下面中心部に、貫通孔23より径大且つ栓体２より径小な円筒型であって下部が開口するガイド筒部24を垂設状態に一体成形して、この貫通孔23とガイド筒部24とで、後述する操作杆７取付用の取付孔部25を構成している。
【００３７】
また、この天板部20上面の前記貫通孔23の周囲部分を、前記液溜部22と連設状態に下方へ凹設してこの凹設上面を後述するカム部27が当接するカム受面26とすると共に、この液溜部22とカム受面26との間の境界部をやや高く成形して、この高さのある境界部を液溜部22に溜まった飲料がカム受面26に流入することを阻止する堰部35としている。
【００３８】
また、この栓体２は、外周面の中ほどに前記飲料容器１上部の内周面に密着する止水パッキン28を設けると共に、前記下部開口部５の開口縁部に、前記栓部材６が密着する密閉パッキン36を設けている。
【００３９】
本実施例の弁部材６は、合成樹脂製であって、図７に示すように前記液通路４の下部開口部５の形状に略合致する円板状体に形成し、この弁部材６の周縁部全周の上面が、前記栓体２の下部開口部５の前記密閉パッキン36に当接密着することで前記液通路４を閉塞可能となり、この弁部材６を栓体２に対し下降させて密閉パッキン36から離間させることで、液通路４の下部開口部５が開放して飲料容器１内の飲料がこの液通路４を介して注出口３から注出可能となる構成としている。
【００４０】
また、この弁部材６の下部に、この弁部材６を前記栓体２に対し回転操作するための操作部13を設けている。更に詳しくは、図２〜図６に示すように、弁部材６の下面の、この弁部材６の中心部を境にした対向二箇所であって弁部材６の直径に沿う位置に薄板状の突片13を垂設状態に一体成形し、この二箇所の突片13を前記操作部13として、この操作部13に手の指を掛けて弁部材６を栓体２に対し容易に回転操作し得るように構成している。
【００４１】
本実施例では、この弁部材６に、前記栓体２を貫通して栓体２の上部に突出する操作杆７を設け、この栓体２上部に突出する操作杆７の上部に、前記注出口３を開閉自在に閉塞する開閉蓋10の基端部を起伏開閉回動自在に枢着し、この開閉蓋10を伏動回動することで前記注出口３を閉塞した際に前記操作杆７を介して前記弁部材６を閉弁位置に移動させ、且つ開閉蓋10を起動回動することで前記注出口３を開放した際に前記操作杆７を介して前記弁部材６を開弁位置に移動させる開閉弁機構11を備えている。
【００４２】
具体的には、弁部材６の上面の中心部に前記操作杆７を立設状態に設け、この操作杆７を前記栓体２の前記取付孔部25に挿入取付すると共に、この操作杆７が取付孔部25をガイドとして昇降移動可能な構成としている。
【００４３】
また、操作杆７は、その下部側を前記取付孔部25のガイド筒部24の内径と略同径であってこのガイド筒部24に挿入してスライド摺動可能な円柱状の弁側操作杆部８に形成し、この弁側操作杆部８より上部側を、前記貫通孔23より径小でこの貫通孔23に挿入可能な下側円柱部14と、貫通孔23より径大でこの貫通孔23に挿入不能な上側角柱部37とから成る蓋側操作杆部９に形成した構成としている（図７参照）。
【００４４】
また、この操作杆７は、その弁側操作杆部８が取付孔部25のガイド筒部24をスライドガイドとして栓体２に対し昇降方向にスライド移動可能に設け、この操作杆７の昇降スライド移動に伴い弁部材６が栓体２に対し昇降移動して、前記液通路４の下部開口部５を開閉する構成とし、更にこの操作杆７は、その弁側操作杆部８がガイド筒部24を軸受けとして栓体２に対し回転可能に設け、この弁側操作杆部８の回転に伴い弁部材６が栓体２に対し回転する構成としている。図中符号29は弁側操作杆部８に設けた漏止パッキンであって、この漏止パッキン29により取付孔部25から貫通孔23への漏水を防止している。
【００４５】
また、蓋側操作杆部９は、その上側角柱部37の上端部に軸受部30としてのフック30を設け、このフック30に前記開閉蓋10の基端部に設けた枢着軸31を掛止することで、蓋側操作杆部９の上端部に開閉蓋10の基端部を起伏回動自在に枢着した構成としている。
【００４６】
本実施例の開閉蓋10は、合成樹脂製であって、図１〜図６に示すように、前記栓体２に連設される前記飲み口部21と液溜部22とカム受面26とに上方から被嵌合可能な平面視略扇形且つ側面視で略Ｌ字形の板状体に一体成形している。
【００４７】
また、この開閉蓋10の先端部には、飲み口部21の先端外面に係脱自在に圧接係止してこの開閉蓋10が前記注出口３を閉塞した状態を保持する保持突起32を設け、反対側の基端部には、前記フック30に軸支可能な枢着軸31を一体成形している。
【００４８】
また、この枢着軸31を有する開閉蓋10基端部の左右両側部を、他の部位より厚みのある形状に形成すると共に、前記枢着軸31を中心点としてこの中心点から外周までの距離が一定とならないカム形状に成形してこの両基端部をカム部27とし、前記枢着軸31を前記フック30に掛止することで開閉蓋10の基端部を蓋側操作杆部９の上端部に枢着すると、このカム部27が前記カム受面26に当接可能となる構成としている。即ち、このカム部27と前記弁部材６とで栓体２を挟み込むことにより、操作杆７を取付孔部25に抜止状態に設けている（栓体２に弁部材６と開閉蓋10が抜止状態で取り付けられる構成としている。）。
【００４９】
また、このカム部27は、開閉蓋10下面側に存する外周縁（面）が前記枢着軸31に対し最も距離があり、この下面側外周面から開閉蓋10の基端側に存する外周縁（面）を介して開閉蓋10上面側に存する外周縁（面）に至るにつれて徐々に枢着軸31からの距離が短くなるカム形状に設定構成し、これによりこのカム部27を前記カム受面26に当接させながら開閉蓋10を伏動回動すると、前記注出口３を閉塞した際に前記操作杆７を介して前記弁部材６が閉弁位置に上昇移動（図２参照）し、且つこの閉塞状態の開閉蓋10を起動回動すると、前記注出口３を開放した際に前記操作杆７を介して前記弁部材６が開弁位置に下降移動（図３参照）することになる前記開閉弁機構11を構成している。
【００５０】
また、このカム部27を常時カム受面26に当接するように付勢する付勢手段33を前記取付孔部25に設けている。
【００５１】
この付勢手段33は、抗縮弾性を有するコイルバネ33を採用し、このコイルバネ33を前記ガイド筒部24内に内装してこのコイルバネ33が常時弁部材６を開弁方向に付勢する構成とし、この付勢力により前記操作杆７を介してカム部27がカム受面26に当接する方向に付勢される構成としている。
【００５２】
また、本実施例の操作杆７は、前記弁部材６に設けられる前記弁側操作杆部８と、前記開閉蓋10の基端部を枢着する前記蓋側操作杆部９とを分割形成して、この弁側操作杆部８に蓋側操作杆部９を着脱自在に連結した構成とし、この弁側操作杆部８と蓋側操作杆部９とを分離することにより前記弁部材６と前記開閉蓋10とが前記栓体２から分離する構成とし、この弁部材６を前記栓体２に対し所定角度回転させると弁側操作杆部８と蓋側操作杆部９とが連結保持状態となり、この連結保持状態から弁部材６を前記栓体２に対し所定角度回転させると弁側操作杆部８と蓋側操作杆部９とが連結解除状態となる連結・解除手段12を備えている。
【００５３】
具体的には、弁部材６に前記弁側操作杆部８を一体成形すると共に、この弁側操作杆部８の上端部に連結孔15を一体成形している。また、前記蓋側操作杆部９の前記下側円柱部14を、前記連結孔15に着脱自在に差し込み連結可能な差込部14とし、前記取付孔部25（のガイド筒部24）に下方から挿入した弁側操作杆部８の連結孔15に、取付孔部25（の貫通孔23）に上方から挿入した蓋側操作杆部９の差込部14を差し込み連結することで、弁側操作杆部８と蓋側操作杆部９とが前記操作杆７として機能する構成としている。即ち、この差し込み連結した差込部14と連結孔15とは、取付孔部25によって隠蔽されてこの連結構造部分が外部から見えず、体裁良好となる構成としている。
【００５４】
また、前記差込部14には係止突起16を設け、一方、この差込部14を前記連結孔15に差し込み連結したまま前記弁部材６を前記栓体２に対し回転させることで差込部14と前記連結孔15とを所定角度相対回転させた際に前記付勢手段33の付勢力により前記係止突起16が係止する係合部17を連結孔15に設けて、この係合部17に係止突起16が係止することで差込部14と連結孔15とが連結保持状態となり、この連結保持状態から弁部材６を栓体２に対し回転させることで連結孔15と差込部14とを所定角度相対回転させると、係合部17から係止突起16が係脱して連結解除状態となる前記連結・解除手段12を構成している。
【００５５】
更に詳しくは、図６，図７に示すように、差込部14の外周面の対向二箇所に角形の前記係止突起16を設け、この二箇所の係止突起16が通過可能な突起用溝部34を連結孔15の孔内面の対向二箇所に設けると共に、この連結孔15の差込方向奥側（図面下側）であって、突起用溝部34の対向方向と直交する対向二箇所に、前記係止突起16が係止可能な係合部17を設けている。
【００５６】
また、この係合部17は、図７に示すように、連結孔15内と弁側操作杆部８外とを連通するようにして対向二箇所に貫通切欠形成される切欠横孔の上側孔縁17（孔内面17）で構成している。
【００５７】
即ち、係止突起16の位置を突起用溝部34に合せることで差込部14を連結孔15に差し込み連結したり、連結状態の差込部14を連結孔15から挿脱したりでき、差し込み連結後、弁部材６を操作杆７（弁側操作杆部８）を回転軸にして栓体２に対し回転させることで差込部14を連結孔15に対し所定角度（本実施例では約９０度）回転させると、二箇所の係止突起16が夫々切欠横孔に位置して前記係合部17に係止し差込部14が連結孔15から抜止状態（蓋側操作杆部９と弁側操作杆部８とが連結保持状態）となる構成とし、更にこの連結保持状態から、弁部材６を操作杆７を軸に栓体２に対し回転させることで差込部14を連結孔15に対し所定角度（本実施例では約９０度）回転させると、二箇所の係止突起16が係合部17から係脱して（切欠横孔から移動して）再び突起用溝部34に位置し、これにより図６，図７に示すような差込部14を連結孔15から挿脱可能な連結解除状態となる（弁側操作杆部８を有する弁部材６と蓋側操作杆部９に枢着した開閉蓋10とを栓体２から分離できる）構成としている。
【００５８】
また、図面の係合部17（切欠横孔の上側孔内面）は、段差面17に形成し、この段差面17の上段係合面38に前記付勢手段33の付勢力により前記係止突起16が係止することによって弁部材６が栓体２に対して回り止め状態となり、この回り止め状態から弁部材６を付勢手段33の付勢力に抗して上方へ押圧（図４参照）すると、上段係合面38から係止突起16が係脱してこの係止突起16が下段係合面39方向に移動する方向に弁部材６を回転操作できて係止突起16を前記突起用溝部34に位置させる連結解除状態（図５参照）にできる構成としている。
【００５９】
また、上段係合面38に係止した係止突起16は、この上段係合面38から係脱させても下段係合面39方向と逆方向へは回転できないように連結孔15の孔形状を設定構成している。
【００６０】
尚、このような段差面17による係合部17とせず、平坦な切欠面による回り止め機能を有しない係合部17を構成しても良い。また、本実施例とは逆に、弁側操作杆部８に差込部14を設け、蓋側操作杆部９に連結孔15を設けて連結・解除手段12を構成しても良いし、他の構成の連結・解除手段12を構成しても良い。
【００６１】
また、ここで前記貫通孔23について更に説明すると、図８に示すような角形孔に形成し、更にこの角形貫通孔23は、対向辺間の幅を、係止突起16部分の前記差込部14の最大径より小さい幅寸法に設定し、従ってこの貫通孔23に対しては、開閉蓋10を、蓋側操作杆部９を軸に回転させて係止突起16を貫通孔23の角部分に配した時にだけ差込部14を挿脱可能となる構成とし、これにより、例えば栓体２を一方の手で持ち、弁部材６の操作部13に他方の手の指をかけて弁部材６を回転操作することで弁側操作杆部８と蓋側操作杆部９とを分離した際に、開閉蓋10が支えなしでも簡単にバラけて落下しないようにしている。
【００６２】
尚、本発明は、本実施例に限られるものではなく、各構成要件の具体的構成は適宜設計し得るものである。
【符号の説明】
【００６３】
１  飲料容器
２  栓体
３  注出口
４  液通路
５  下部開口部
６  弁部材
７  操作杆
８  弁側操作杆部
９  蓋側操作杆部
10  開閉蓋
11  開閉弁機構
12  連結・解除手段
13  操作部
14  差込部
15  連結孔
16  係止突起
17  係合部
Ｓ  栓装置
【図１】
2015000741.tif 000003
【図２】
2015000741.tif 000004
【図３】
2015000741.tif 000005
【図４】
2015000741.tif 000006
【図５】
2015000741.tif 000007
【図６】
2015000741.tif 000008
【図７】
2015000741.tif 000009
【図８】
2015000741.tif 000010